【手続補正書】
【提出日】平成19年3月6日(2007.3.6)
【手続補正１】
【補正対象書類名】明細書
【補正対象項目名】特許請求の範囲
【補正方法】変更
【補正の内容】
【特許請求の範囲】
【請求項１】  最適化を行う試算対象の変化特性を情報出力手段に表示する最適化装置であって、
最適化のための試算計算を行う手段である最適化手段と、
上記最適化のための試算計算の際、複数存在する入力値の組み合わせの中で、１つの入力値の値が異なる入力値の組み合わせにおいて、少なくとも２つ以上試算計算が行われた場合に、上記情報出力手段に、窓枠の表示命令を行うとともに、表示された前記窓枠に、上記最適化手段において行われた最適化のための試算計算の際の入力値と、試算計算の際に算出された試算結果と、の表示を行い、上記窓枠内に表示されている試算結果の内少なくとも１つの試算結果が、最適化計算において、許容可能な範囲の値である許容値を満たした場合に、上記情報出力手段に表示する窓枠に許容値を満たしたことを表示する表示命令手段と、
を有することを特徴とする最適化装置。
【請求項２】上記最適化手段が、上記情報出力手段上に表示する窓枠の制御が行われる枚数と、上記情報出力手段上に表示する窓枠の枚数が窓枠の枚数の制御を行う枚数に達した場合に、上記情報出力手段上に表示する窓枠の選択を行う際の判定式を設定する設定手段を有しており、さらに、上記表示命令手段が、上記情報出力手段上に表示する窓枠の枚数が窓枠の枚数の制御を行う枚数に達した場合で、且つ、少なくとも一つ許容値を満たしている試算結果が窓枠内にある場合に、許容値を満たしている試算結果がある窓枠の中から上記設定手段において予め設定されている窓枠の選択を行う際の判定式に基づき上記情報出力手段に表示する窓枠の選択を行う選択手段を有していることを特徴とする上記請求項１に記載の最適化装置。
【請求項３】  上記表示命令手段が、上記情報出力手段上に表示する窓枠の枚数が窓枠の枚数の制御を行う枚数に達した場合に、上記選択手段が上記情報出力手段上に表示する窓枠として選択しなかった窓枠の大きさを縮小化する窓枠縮小化手段を有することを特徴とする上記請求項１又は２に記載の最適化装置。
【請求項４】  上記表示命令手段が、上記情報出力手段上に表示する窓枠の枚数が窓枠の枚数の制御を行う枚数に達した場合に、上記選択手段が上記情報出力手段上に表示する窓枠として選択した窓枠の大きさを拡大化する窓枠拡大化手段を有することを特徴とする上記請求項１又は２又は３に記載の最適化装置。
【請求項５】  上記表示命令手段が、窓枠内の試算結果が許容値を満たしておらず、さらに、窓枠の大きさが上記縮小化手段により縮小化されている窓枠を操作者が操作できなくする制御手段を有することを特徴とする上記請求項１又は２又は３又は４に記載の最適化装置。
【請求項６】  上記表示命令手段が、上記最適化計算において、窓枠内に表示されている試算結果が許容可能な範囲の値である許容値を満たしていない場合に、上記情報出力手段に表示する窓枠に許容値を満たしていないことを表示することを特徴とする上記請求項１又は２又は３又は４又は５に記載の最適化装置。
【手続補正２】
【補正対象書類名】明細書
【補正対象項目名】０００７
【補正方法】変更
【補正の内容】
【０００７】
【課題を解決するための手段】
本発明は上記問題点を解決するために創作されたものであって、第１には、最適化を行う試算対象の変化特性を情報出力手段に表示する最適化装置であって、最適化のための試算計算を行う手段である最適化手段と、上記最適化のための試算計算の際、複数存在する入力値の組み合わせの中で、１つの入力値の値が異なる入力値の組み合わせにおいて、少なくとも２つ以上試算計算が行われた場合に、上記情報出力手段に、窓枠の表示命令を行うとともに、表示された前記窓枠に、上記最適化手段において行われた最適化のための試算計算の際の入力値と、試算計算の際に算出された試算結果と、の表示を行い、上記窓枠内に表示されている試算結果の内少なくとも１つの試算結果が、最適化計算において、許容可能な範囲の値である許容値を満たした場合に、上記情報出力手段に表示する窓枠に許容値を満たしたことを表示する表示命令手段と、を有することを特徴とする。
【手続補正３】
【補正対象書類名】明細書
【補正対象項目名】０００８
【補正方法】変更
【補正の内容】
【０００８】
この第１の構成の最適化装置においては、最適化のための試算計算を行う手段である最適化手段と、上記最適化のための試算計算の際、複数存在する入力値の組み合わせの中で、１つの入力値の値が異なる入力値の組み合わせにおいて、少なくとも２つ以上試算計算が行われた場合に、上記情報出力手段に、窓枠の表示命令を行うとともに、表示された前記窓枠に、上記最適化手段において行われた最適化のための試算計算の際の入力値と、試算計算の際に算出された試算結果と、の表示を行い、上記窓枠内に表示されている試算結果の内少なくとも１つの試算結果が、最適化計算において、許容可能な範囲の値である許容値を満たした場合に、上記情報出力手段に表示する窓枠に許容値を満たしたことを表示する表示命令手段と、を有するため、操作者が、最適化を行う試算対象の変化特性を知ることが可能となる。また、上記窓枠内に表示されている試算結果の内少なくとも１つの試算結果が、最適化計算において、許容可能な範囲の値である許容値を満たしたことを容易に確認することが可能となる。
【手続補正４】
【補正対象書類名】明細書
【補正対象項目名】０００９
【補正方法】変更
【補正の内容】
【０００９】
また、第２には、上記第１の構成において、上記最適化手段が、上記情報出力手段上に表示する窓枠の制御が行われる枚数と、上記情報出力手段上に表示する窓枠の枚数が窓枠の枚数の制御を行う枚数に達した場合に、上記情報出力手段上に表示する窓枠の選択を行う際の判定式を設定する設定手段を有しており、さらに、上記表示命令手段が、上記情報出力手段上に表示する窓枠の枚数が窓枠の枚数の制御を行う枚数に達した場合で、且つ、少なくとも一つ許容値を満たしている試算結果が窓枠内にある場合に、許容値を満たしている試算結果がある窓枠の中から上記設定手段において予め設定されている窓枠の選択を行う際の判定式に基づき上記情報出力手段に表示する窓枠の選択を行う選択手段を有していることを特徴とする。
【手続補正５】
【補正対象書類名】明細書
【補正対象項目名】００１０
【補正方法】変更
【補正の内容】
【００１０】
この第２の構成の最適化装置においては、上記最適化手段が、上記情報出力手段上に表示する窓枠の制御が行われる枚数と、上記情報出力手段上に表示する窓枠の枚数が窓枠の枚数の制御を行う枚数に達した場合に、上記情報出力手段上に表示する窓枠の選択を行う際の判定式を設定する設定手段を有しており、さらに、上記表示命令手段が、上記情報出力手段上に表示する窓枠の枚数が窓枠の枚数の制御を行う枚数に達した場合で、且つ、少なくとも一つ許容値を満たしている試算結果が窓枠内にある場合に、許容値を満たしている試算結果がある窓枠の中から上記設定手段において予め設定されている窓枠の選択を行う際の判定式に基づき上記情報出力手段に表示する窓枠の選択を行う選択手段を有しているため、上記情報出力手段に表示される情報を、操作者にとって、最適化を行う試算対象において最適値であることを確認し易い情報として表示することが可能となる。
【手続補正６】
【補正対象書類名】明細書
【補正対象項目名】００１１
【補正方法】変更
【補正の内容】
【００１１】
また、第３には、上記第１又は第２の構成において、上記表示命令手段が、上記情報出力手段上に表示する窓枠の枚数が窓枠の枚数の制御を行う枚数に達した場合に、上記選択手段が上記情報出力手段上に表示する窓枠として選択しなかった窓枠の大きさを縮小化する窓枠縮小化手段を有することを特徴とする。
【手続補正７】
【補正対象書類名】明細書
【補正対象項目名】００１２
【補正方法】変更
【補正の内容】
【００１２】
この第３の構成の最適化装置においては、上記表示命令手段が、上記情報出力手段上に表示する窓枠の枚数が窓枠の枚数の制御を行う枚数に達した場合に、上記選択手段が上記情報出力手段上に表示する窓枠として選択しなかった窓枠の大きさを縮小化する窓枠縮小化手段を有するため、情報出力手段に表示される情報が煩雑になることを防ぐことが可能となるとともに、必要に応じて上記縮小化手段により縮小化された窓枠を参照することが可能となる。
【手続補正８】
【補正対象書類名】明細書
【補正対象項目名】００１３
【補正方法】変更
【補正の内容】
【００１３】
また、第４には、上記第１又は第２又は第３の構成において、上記表示命令手段が、上記情報出力手段上に表示する窓枠の枚数が窓枠の枚数の制御を行う枚数に達した場合に、上記選択手段が上記情報出力手段上に表示する窓枠として選択した窓枠の大きさを拡大化する窓枠拡大化手段を有することを特徴とする。
【手続補正９】
【補正対象書類名】明細書
【補正対象項目名】００１４
【補正方法】変更
【補正の内容】
【００１４】
この第４の構成の最適化装置においては、上記表示命令手段が、上記情報出力手段上に表示する窓枠の枚数が窓枠の枚数の制御を行う枚数に達した場合に、上記選択手段が上記情報出力手段上に表示する窓枠として選択した窓枠の大きさを拡大化する窓枠拡大化手段を有するため、情報出力手段に表示される情報を、操作者にとって、最適化を行う試算対象における最適値であることを確認し易い情報とすることが可能となる。
【手続補正１０】
【補正対象書類名】明細書
【補正対象項目名】００１５
【補正方法】変更
【補正の内容】
【００１５】
また、第５には、上記第１又は第２又は第３又は第４の構成において、上記表示命令手段が、窓枠内の試算結果が許容値を満たしておらず、さらに、窓枠の大きさが上記縮小化手段により縮小化されている窓枠を操作者が操作できなくする制御手段を有することを特徴とする。
【手続補正１１】
【補正対象書類名】明細書
【補正対象項目名】００１６
【補正方法】変更
【補正の内容】
【００１６】
この第５の構成の最適化装置においては、上記表示命令手段が、窓枠内の試算結果が許容値を満たしておらず、さらに、窓枠の大きさが上記縮小化手段により縮小化されている窓枠を操作者が操作できなくする制御手段を有するため、情報出力手段に表示される情報が煩雑になることを防ぐことが可能となる。
【手続補正１２】
【補正対象書類名】明細書
【補正対象項目名】００１７
【補正方法】変更
【補正の内容】
【００１７】
また、第６には、上記第１又は第２又は第３又は第４又は第５の構成において、上記表示命令手段が、上記最適化計算において、窓枠内に表示されている試算結果が許容可能な範囲の値である許容値を満たしていない場合に、上記情報出力手段に表示する窓枠に許容値を満たしていないことを表示することを特徴とする。
【手続補正１３】
【補正対象書類名】明細書
【補正対象項目名】００１８
【補正方法】変更
【補正の内容】
【００１８】
この第６の構成の最適化装置においては、上記表示命令手段が、上記最適化計算において、窓枠内に表示されている試算結果が許容可能な範囲の値である許容値を満たしていない場合に、上記情報出力手段に表示する窓枠に許容値を満たしていないことを表示するため、操作者が、最適化計算において、窓枠内に表示されている試算結果が許容可能な範囲の値である許容値を満たしていないことを容易に確認することが可能となる。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００３３
【補正方法】変更
【補正の内容】
【００３３】
上記表示命令手段７０は、最適化のための試算計算の際、複数存在する入力値の組み合わせの中で、１つの入力値の値が異なる入力値の組み合わせにおいて、少なくとも２つ以上試算計算が行われた場合に、上記モニター２０に、ウインドウ（窓枠）の表示命令を行うとともに、表示された前記ウインドウに、上記最適化手段６０において行われた最適化のための試算計算の際の入力値と、試算計算の際に算出された試算結果と、の表示を行う。また、上記表示命令手段７０は、上記最適化のための試算計算の際に、ウインドウ内に表示されている試算結果の内少なくとも１つの試算結果が、最適化計算において、許容可能な範囲の値である許容値を満たした場合に、上記モニター２０に表示するウインドウに許容値を満たしたことの表示を行う。さらに、上記表示命令手段７０は、最適化のための試算計算の際に、ウインドウ内に表示されている試算結果が、最適化計算において、許容可能な範囲の値である許容値を満たしていない場合に、上記モニター２０に表示するウインドウに許容値を満たしていないことの表示を行う。なお、上記表示命令手段７０は、最適化のための試算計算の際、複数存在する入力値の組み合わせの中で、１つの入力値の値が異なる入力値の組み合わせにおいて、少なくとも２つ以上試算計算が行われた場合以外においてもウインドウの表示の必要のある場合、上記モニター２０に、ウインドウの表示命令を行う機能を有している。また、上記表示命令手段７０は、最適化のための試算計算の際の入力値の組み合わせを検索する機能を有している。
【手続補正２３】
【補正対象書類名】明細書
【補正対象項目名】０１０６
【補正方法】変更
【補正の内容】
【０１０６】
【発明の効果】
本発明に基づく請求項１に記載の最適化装置によれば、最適化のための試算計算を行う手段である最適化手段と、上記最適化のための試算計算の際、複数存在する入力値の組み合わせの中で、１つの入力値の値が異なる入力値の組み合わせにおいて、少なくとも２つ以上試算計算が行われた場合に、上記情報出力手段に、窓枠の表示命令を行うとともに、表示された前記窓枠に、上記最適化手段において行われた最適化のための試算計算の際の入力値と、試算計算の際に算出された試算結果と、の表示を行い、上記窓枠内に表示されている試算結果の内少なくとも１つの試算結果が、最適化計算において、許容可能な範囲の値である許容値を満たした場合に、上記情報出力手段に表示する窓枠に許容値を満たしたことを表示する表示命令手段と、を有するため、操作者が、最適化を行う試算対象の変化特性を知ることが可能となる。また、上記窓枠内に表示されている試算結果の内少なくとも１つの試算結果が、最適化計算において、許容可能な範囲の値である許容値を満たしたことを容易に確認することが可能となる。
【手続補正２４】
【補正対象書類名】明細書
【補正対象項目名】０１０７
【補正方法】変更
【補正の内容】
【０１０７】
また、特に、請求項２に記載の最適化装置によれば、上記最適化手段が、上記情報出力手段上に表示する窓枠の制御が行われる枚数と、上記情報出力手段上に表示する窓枠の枚数が窓枠の枚数の制御を行う枚数に達した場合に、上記情報出力手段上に表示する窓枠の選択を行う際の判定式を設定する設定手段を有しており、さらに、上記表示命令手段が、上記情報出力手段上に表示する窓枠の枚数が窓枠の枚数の制御を行う枚数に達した場合で、且つ、少なくとも一つ許容値を満たしている試算結果が窓枠内にある場合に、許容値を満たしている試算結果がある窓枠の中から上記設定手段において予め設定されている窓枠の選択を行う際の判定式に基づき上記情報出力手段に表示する窓枠の選択を行う選択手段を有しているため、上記情報出力手段に表示される情報を、操作者にとって、最適化を行う試算対象において最適値であることを確認し易い情報として表示することが可能となる。
【手続補正２５】
【補正対象書類名】明細書
【補正対象項目名】０１０８
【補正方法】変更
【補正の内容】
【０１０８】
また、特に、請求項３に記載の最適化装置によれば、上記表示命令手段が、上記情報出力手段上に表示する窓枠の枚数が窓枠の枚数の制御を行う枚数に達した場合に、上記選択手段が上記情報出力手段上に表示する窓枠として選択しなかった窓枠の大きさを縮小化する窓枠縮小化手段を有するため、情報出力手段に表示される情報が煩雑になることを防ぐことが可能となるとともに、必要に応じて上記縮小化手段により縮小化された窓枠を参照することが可能となる。
【手続補正２６】
【補正対象書類名】明細書
【補正対象項目名】０１０９
【補正方法】変更
【補正の内容】
【０１０９】
また、特に、請求項４に記載の最適化装置によれば、上記表示命令手段が、上記情報出力手段上に表示する窓枠の枚数が窓枠の枚数の制御を行う枚数に達した場合に、上記選択手段が上記情報出力手段上に表示する窓枠として選択した窓枠の大きさを拡大化する窓枠拡大化手段を有するため、情報出力手段に表示される情報を、操作者にとって、最適化を行う試算対象における最適値であることを確認し易い情報とすることが可能となる。
【手続補正２７】
【補正対象書類名】明細書
【補正対象項目名】０１１０
【補正方法】変更
【補正の内容】
【０１１０】
また、特に、請求項５に記載の最適化装置によれば、上記表示命令手段が、窓枠内の試算結果が許容値を満たしておらず、さらに、窓枠の大きさが上記縮小化手段により縮小化されている窓枠を操作者が操作できなくする制御手段を有するため、情報出力手段に表示される情報が煩雑になることを防ぐことが可能となる。
【手続補正２８】
【補正対象書類名】明細書
【補正対象項目名】０１１１
【補正方法】変更
【補正の内容】
【０１１１】
また、特に、請求項６に記載の最適化装置によれば、上記表示命令手段が、上記最適化計算において、窓枠内に表示されている試算結果が許容可能な範囲の値である許容値を満たしていない場合に、上記情報出力手段に表示する窓枠に許容値を満たしていないことを表示するため、操作者が、最適化計算において、窓枠内に表示されている試算結果が許容可能な範囲の値である許容値を満たしていないことを容易に確認することが可能となる。
【手続補正２９】
【補正対象書類名】明細書
【補正対象項目名】０１１２
【補正方法】削除
【補正の内容】
【手続補正３０】
【補正対象書類名】明細書
【補正対象項目名】０１１３
【補正方法】削除
【補正の内容】
【手続補正３１】
【補正対象書類名】明細書
【補正対象項目名】０１１４
【補正方法】削除
【補正の内容】
【手続補正３２】
【補正対象書類名】明細書
【補正対象項目名】０１１５
【補正方法】削除
【補正の内容】